(57)【要約】【課題】本発明は、カートから取り外してペットを持ち運んで移動させる場合であっても、飼い主やペットに負担をかけることなく容易に移動することのできる殊に大型のペットに好適なペット用カートの提供を目的とする。【解決手段】ペットを載せて進行可能に構成したカート本体１２に、該カート本体１２から分離してペットを持ち運び可能に構成した担架部材１３を備え、上記担架部材１３は、ペットを収容する収容シート１４と、該収容シート１４の幅方向の両側で該収容シート１４を持ち運び可能に平行に配設された２本の把持棒２６とを備え、上記収容シート１４は、ペットを載置する底面シート部１５と、側面シート部１６ａ，１６ｂとで一体に構成し、上記把持棒２６を上記カート本体へ係止可能な係止部４８を、上記カート本体１２における上記側面シート部１６ａ，１６ｂが懸吊可能に構成したペット用カート１１。【選択図】図１
2008237103.tif 000002
【特許請求の範囲】
【請求項１】
ペットを載せて進行可能に構成したカート本体を備えたペット用カートであって、
上記カート本体に、該カート本体から取り外してペットを持ち運び可能に構成した担架部材を備え、
上記担架部材は、ペットを収容する収容シートと、該収容シートの幅方向の両側で該収容シートを持ち運び可能に平行に配設された２本の把持棒とを備え、
上記収容シートは、ペットを載置する底面シート部と、該底面シート部に対して幅方向の両側に備えた側面シート部とで一体に構成し、
上記把持棒を上記カート本体へ係止可能な係止部を、上記カート本体における上記側面シート部が懸吊される高さ位置に構成した
ペット用カート。
【請求項２】
上記底面シート部に載置されるペット載置用マットを備え、
上記ペット載置用マットの外周側に該ペット載置用マット自体を持ち上げ可能とするマット把持部を形成した
請求項１に記載のペット用カート。
【請求項３】
上記底面シート部の幅方向に対して直角方向における両端部側の少なくとも一方の端部側に、フラップ状に突き出した補助側面シート部を形成し、
上記補助側面シート部と上記側面シート部との対向端部どうしを離間可能に固定する固定手段を上記収容シートに備えた
請求項１、又は、請求項２に記載のペット用カート。
【請求項４】
上記補助側面シート部にペットを下側から支持可能な芯材を備えた
請求項３に記載のペット用カート。
【請求項５】
上記収容シートの上側で開口した上面開口部を覆う開口カバー部材を上記カート本体に備え、
該開口カバー部材を折り畳み可能に構成した
請求項１から請求項４のうちいずれか１項に記載のペット用カート。
【発明の詳細な説明】
【技術分野】
【０００１】
この発明は、犬などのペットを収容して運ぶことのできるペット用カートに関する。
【背景技術】
【０００２】
最近では、ゴールデン・レトリバーやセント・バーナードなどの洋犬がペットとして飼われることが多く、また、過保護により肥満になるペットが増加していることから、大型のペットが増加しつつあり、中には、体重が４０Ｋｇに達する超大型のペットも存在する。
【０００３】
殊に最近では、上述したような大型のペットが老齢化しつつあり、歩行が困難であることも多いため、これら衰弱した大型のペットを、飼い主が例えば、病院や散歩に連れていくことは、ペットにとっても飼い主にとっても過度な負担がかかるという問題が生じていた。
【０００４】
このような問題に対して、特許文献１においてペットを運ぶことのできる「ペット用鞄付きカート」が開示されている。
【０００５】
上記「ペット用鞄付きカート」は、ペットを収容可能なペット用鞄（１）をカート（Ａ）に取り付けた構成をしている。
【０００６】
具体的に、ペット用鞄（１）は、止め具（２３）を有した複数のベルト（２４）をカート（Ａ）の枠体（４）に取り付けることによりカート（Ａ）へ固定しておくことができる。
【０００７】
また、ペット用鞄（１）には、該ペット用鞄（１）をカート（Ａ）から取り外して持ち運ぶことができるよう、例えば、布製の下げ紐（２０，２１）（把手）が形成されている。
【０００８】
上記特許文献１によれば、「ペット用鞄付きカート」は、老若男女のいずれでも容易に大小のペットを運ぶことができることが謳われている。
【０００９】
しかし、上記「ペット用鞄付きカート」は、殊に大型のペットを運ぶことは困難であるといわざるを得ない。
【００１０】
なぜなら、ペット用鞄（１）に形成された上記下げ紐（２０，２１）は、基本的に片手で把持することを前提にした構成であるため、大型のペットを収容して運ぶには強度的に不十分であり、また、内部のペットは不安定な状態になってしまう。
【００１１】
すなわち、大型のペットを運ぶ場合、単にペットを乗せた状態でカート（Ａ）を押し進めることは可能であるが、大型なペットを収容した状態でペット用鞄（１）を、持ち運ぶことは、持ち上げることすら困難であり、実用的でないといわざるを得ない。
【００１２】
従って、上記特許文献１における「ペット用鞄付きカート」は、殊に大型のペットを運ぶ場合において、ペットを持ち運んで移動させることが事実上、不可能であり、カート（Ａ）に対しての乗降動作を含め、病院の診察台や階段などの段差といったカートでの進行が困難な移動に対応することができないという難点がある。
【００１３】
【特許文献１】特開２００４−１６６５９９号公報
【発明の開示】
【発明が解決しようとする課題】
【００１４】
そこでこの発明は、カートから取り外してペットを持ち運んで移動させる場合であっても、飼い主やペットに負担をかけることなく容易に移動することのできる殊に大型のペットに好適なペット用カートの提供を目的とする。
【課題を解決するための手段】
【００１５】
本発明のペット用カートは、ペットを載せて進行可能に構成したカート本体を備えたペット用カートであって、上記カート本体に、該カート本体から取り外してペットを持ち運び可能に構成した担架部材を備え、上記担架部材は、ペットを収容する収容シートと、該収容シートの幅方向の両側で該収容シートを持ち運び可能に平行に配設された２本の把持棒とを備え、上記収容シートは、ペットを載置する底面シート部と、該底面シート部に対して幅方向の両側に備えた側面シート部とで一体に構成し、上記把持棒を上記カート本体へ係止可能な係止部を、上記カート本体における上記側面シート部が懸吊される高さ位置に構成したことを特徴とする。
【００１６】
上記構成により、担架部材は、ペットを収容シート部に収容した状態で、人が把持棒を把持しながらカートと分離して持ち運ぶことができる。
【００１７】
殊に、ペットが大型であっても、上記担架部材を用いて安定した状態で容易に持ち運ぶことができる。
【００１８】
本発明のペット用カートは、上記底面シート部に載置されるペット載置用マットを備え、上記ペット載置用マットの外周側に該ペット載置用マット自体を持ち上げ可能とするマット把持部を形成することが好ましい。
【００１９】
上記構成により、ペット載置用マットは、ペットの下側に接地した状態で、上記マット把持部を把持して、ペットの下側から該ペット載置用マットを持ち上げることによりペットを持ち上げることができるため、病院の診察台などの高い位置でも安定した状態で容易に持ち上げることができる。
【００２０】
本発明のペット用カートは、上記底面シート部の幅方向に対して直角方向における両端部側の少なくとも一方の端部側に、フラップ状に突き出した補助側面シート部を形成し、上記補助側面シート部と上記側面シート部との対向端部どうしを離間可能に固定する固定手段を上記収容シートに備えて構成することができる。
【００２１】
上記構成により、上記固定手段で上記補助側面シート部と上記側面シート部との対向端部どうしを固定しておくことで、ペットを底面シート部に載置した状態で収容シートの内側にしっかりと収容しておくことができる。
【００２２】
また、上記補助側面シート部と上記側面シート部との対向端部どうしを離間することができ、該対向端部どうしを離間させると、上記収容シートを展開形状して不使用時にコンパクトに収容することもできる。
【００２３】
さらに、上記補助側面シート部には、ペットを下側から支持可能な芯材を備えることが好ましい。
【００２４】
上記構成のように、上記補助側面シート部には、上記芯材を備えているため、該補助側面シート部は、外側へ倒伏させて地面に傾斜した状態で接地させることでスロープとして用いることができる。すなわち、上記補助側面シート部により、ペット用カートに対するペットの乗り降りを補助することができる。
【００２５】
本発明のペット用カートは、上記収容シートの上側で開口した上面開口部を覆う開口カバー部材を上記カート本体に備えて構成することもできる。
【００２６】
上記構成により、開口カバー部材で収容シート内側の日除け、雨除けとして用いること可能に上面開口部を覆うことができる。さらに、収容カバーに収容したペットが大型であっても上面開口部からペットが飛び出してしまうことを防止することもできる。
【発明の効果】
【００２７】
本発明のペット用カートは、カートによる進行が困難な移動であっても、上記担架部材をカートから容易に取り外して該担架部材によりペットを容易に持ち運ぶことができるため、病気や加齢により歩行が困難なペットであっても、ペットに負担をかけずに移動することができる。
【００２８】
殊に、大型なペットであっても、該ペットや飼い主に負担をかけることなく安定してペットを持ち運ぶことができる。
【発明を実施するための最良の形態】
【００２９】
この発明の一実施形態を、以下、図面を用いて説明する。  
図１、図２、図３、図４、図５、及び、図６は、それぞれ本実施形態のペット用カート１１の外観図、構成説明図、右側面図、中央縦断面図、背面図、後述するシート状部材の構成説明図を示している。
【００３０】
なお、以下では、本実施形態におけるペット用カート１１の構成を、殊に示す場合を除いて、図１のようなカート型形態をしている状態を基準に説明する。
【００３１】
上記図１から図５に示すように、上記ペット用カート１１は、ペットを載せた状態で手押し可能なカート本体１２と、ペットを持ち運ぶことができる担架部材１３とを備えている。
【００３２】
上記担架部材１３は、カート本体１２に取り外し可能に取り付けられ、内部にペットを収容可能とする収容シート１４と、該収容シート１４の幅方向の両側で飼い主などが把持して持ち上げ（担持）可能とする２本の把持棒２６（２６ａ，２６ｂ）を備えている。
【００３３】
上記収容シート１４は、上面に開口部（上面開口部Ａ１）を有し、幅方向（左右方向）よりも前後方向が長い箱形形状で構成している。上記収容シート１４の底面部は、図４に示すように、底面シート部１５により構成している。さらに、上記収容シート１４の側面部（右側面部、左側面部、前面部、及び、背面部）は、それぞれ右側面シート部１６ａ、左側面シート部１６ｂ、前面シート部１６ｃ、背面シート部１６ｄにより構成している。
【００３４】
上記底面シート部１５は、図４の要部拡大図に示すように、表面布２２ａと裏面布２２ｂとの２枚のシート状部材を重ねた状態で形成し、その間にペットを支持可能な底面支持板２３を備えている。  
上記底面支持板２３は、２層構造で構成し、下側に板状芯材２３ａを配し、上側に弾性に優れたウレタン部材２３ｂを配してこれらを一体に構成している。
【００３５】
なお、上記板状芯材２３ａとしては、ペットを支持可能な強度を有する部材であれば殊に限定しないが、本実施形態では、木質繊維を成形した中質繊維板（ＭＤＦ板）を用いている。
【００３６】
また、図２、及び、図６に示したように、上記収容シート１４は、平面視したときの４隅部、すなわち、前面シート部１６ｃと右側面シート部１６ａ、前面シート部１６ｃと左側面シート部１６ｂ、背面シート部１６ｄと右側面シート部１６ａ、背面シート部１６ｄと左側面シート部１６ｂとが互いに対向する対向端部に、これら対向端部が互いに離間可能に係合する一対のスライドファスナ２４ａ，２４ｂが縫着されている。  
なお、図６は、収容シート１４を展開した状態の担架部材１３の正面図である。
【００３７】
具体的に、図２、及び、図５に示すように、前面シート部１６ｃと右側面シート部１６ａとの対向端部を例にとり説明すると、前面シート部１６ｃにおける右側面シート部１６ａとの対向端部に、一対のスライドファスナ２４ａ，２４ｂにおける一方のスライドファスナ２４ａを縫着し、右側面シート部１６ａにおける前面シート部１６ｃとの対向端部に、一対のスライドファスナ２４ａ，２４ｂにおける他方のスライドファスナ２４ｂを縫着している。
【００３８】
さらに、上記一対のスライドファスナ２４ａ，２４ｂには、上端部から下方へスライドするに従って、一対のスライドファスナ２４ａ，２４ｂを互いに離間可能とするスライダ２４ｃを備えている。
【００３９】
また、上記背面シート部１６ｄには、図４、及び、図５に示すように、その内部に上述した板状芯材３９を備えている。  
これにより、上記背面シート部１６ｄは、その下端部を枢動軸として外側に倒伏させると、地面に対して傾斜した状態で接地することができ、さらに、その状態でペットが載上しても撓んだりせずにペットを支持可能な強度を備えている。
【００４０】
また、図１、及び、図３に示すように、上記右側面シート部１６ａ、及び、上記左側面シート部１６ｂ、及び、前面シート部１６ｃのそれぞれには、適宜、ネット状窓部２５を構成している。ネット状窓部２５は、ネット状に形成した塩化ビニール（ＰＶＣ）製のネット状部材により構成している。
【００４１】
また、図２、及び、図６に示すように、上記２本の把持棒２６（２６ａ，２６ｂ）は、それぞれが互いに平行に右側面シート部１６ａと左側面シート部１６ｂとの各上端部に１本ずつ配設されている。  
具体的に、上記右側面シート部１６ａ、及び、左側面シート部１６ｂにおける、それぞれの上端部には、前後方向に連通した連通孔２７を形成している。上記連通孔２７は、上記上端部を内側に筒状の空間が構成されるよう折り返して縫着することにより形成している。
【００４２】
上記把持棒２６は、金属製パイプにより構成され、上記連通孔２７に挿通することにより、収容シート１４に取り付けられている。さらに上記把持棒２６の軸方向の両端側には、樹脂製の有底円筒状部材を嵌め込んで把持部２８を構成している。  
さらにまた、上記把持棒２６は、上記連通孔２７に挿入したとき、把持部２８を含めた軸方向の両端側部分が上記連通孔２７から突き出し可能な長さで構成されている。
【００４３】
また、図２、及び、図４に示すように、上記底面シート部１５には、ペットを支持可能なペット載置用マット３１が載置されている。上記ペット載置用マット３１は、２層構造の板状部材３３で平面視長方形状に構成し、さらに、該板状部材３３を袋状に形成した被覆カバー３２に収容して構成している。上記板状部材３３は、下側に上述した板状芯材３３ａを配し、上側にウレタン部材３３ｂを配してこれらを一体とした構成をしている。
【００４４】
上記被覆カバー３２のマチ部分（外周縁部）には、該被覆カバー３２に対して上記板状部材３３を出し入れ可能に開口したマット開口部Ｈを形成し、さらに、マット開口部Ｈの両縁部には、一対のスライドファスナ３４ａ，３４ｂにおける一方のスライドファスナ３４ａと他方のスライドファスナ３４ｂをそれぞれ縫着してマット開口部Ｈを開閉可能に構成している（図２参照）。
【００４５】
さらに、上記ペット載置用マット３１は、合計４つのマット把持部３５を備えている。上記マット把持部３５は、上記被覆カバー３２のマチ部分における長辺部に、帯状部材を逢着することにより構成している。
【００４６】
続いて、上記カート本体１２の構成について説明する。  
上記カート本体１２は、図２に示すように、折り畳みが可能に全体を台車型に構成している。具体的に、金属製フレームを組み合わせた本体フレーム４０を備え、該本体フレーム４０の前後各側の下部には、左右一対の車輪３６（前輪３６ａ，後輪３６ｂ）を備えている。さらに、本体フレーム４０の後方上部には、開口カバー部材３７を収容シート１４の上面開口部Ａ１の上方で張架可能にコンパクトに巻装されている。
【００４７】
上記本体フレーム４０は、上記収容シート１４における上記底面シート部１５を接地可能とする底面フレーム４１を備えている。さらに、上記本体フレーム４０は、該底面フレーム４１の後端から起立状態に構成された後側起立フレーム４２を備えるとともに、底面フレーム４１の前端から起立状態に構成された前側起立フレーム４３を備えている。
【００４８】
後側起立フレーム４２、及び、前側起立フレーム４３は、前後方向の各側で互いに対向した状態で構成され、いずれも正面視したとき、幅方向の両端部が上下方向に配され、さらに、上端部がペット用カート１１の幅間において一体に連結した門形の形態で構成している。
【００４９】
さらにまた、後側起立フレーム４２は、その上側部分が後傾し、該上側部分にウレタン部材を囲繞した手押し用ハンドル部４４を構成している。  
また、本体フレーム４０は、図２中矢印で示したように、後側起立フレーム４２と前側起立フレーム４３を底面フレーム４１側へ倒伏した状態に折り畳み可能に構成している。
【００５０】
後側起立フレーム４２と前側起立フレーム４３とは、同様の折り畳み構造であるとともに、公知の折り畳み構造を採用しているため、ここでは前側起立フレーム４３の折り畳み構造のみについて簡単に説明する。
【００５１】
前側起立フレーム４３の基端部は、底面フレーム４１に取り付けられたブラケット４５に枢動自在に枢着されている。このブラケット４５の幅間には、枢動規制フレーム４６を横架し、該枢動規制フレーム４６は、バネ４７の付勢力によって前側起立フレーム４３が起立状態を維持するよう規制している。  
前側起立フレーム４３は、この枢動規制フレーム４６を踏みつけるなどして該枢動規制フレーム４６による規制を解除して底面フレーム４１側へ倒伏させることができる。  
なお、底面フレーム４１における右側外周縁部の中途部には、上述したように折り畳んだ状態のカート本体１２を把持可能な取手部材４９を螺着している。
【００５２】
また、図２、及び、図７に（ａ），（ｂ）に示すように、上記後側起立フレーム４２、及び、前側起立フレーム４３には、それぞれ上記把持棒２６を係止可能とする係止受け部材４８を合計４つ備えている。  
上記係止受け部材４８は、合成樹脂製であり、上記把持部２８を下側から支持した状態で係止する係止受け部４８ａを備えている。該係止受け部４８ａは、その先端部を上方へ突き出した形態で形成している。  
上記係止受け部材４８は、上記後側起立フレーム４２と前側起立フレーム４３とにおける幅方向の両側に取り付けられている（図２参照）。収容シート１４のカート本体１２への取り付けは、図７（ａ），（ｂ）に示すように、把持棒２６を係止受け部４８ａに載置するだけで係止しておくことができる。  
なお、図７（ａ），（ｂ）は、いずれも把持棒２６を係止受け部材４８に取り付ける説明図であり、図７（ａ）は、把持棒の軸方向の両端側を示し、図７（ｂ）は把持棒の軸方向について正面視した状態を示す。
【００５３】
このとき収容シート１４は、底面シート部１５が底面フレーム４１上に載置され、右側面シート部１６ａ、左側面シート部１６ｂ、前面シート部１６ｃ、背面シート部１６ｄが、いずれもが略弛緩することなく懸吊された状態で取り付けられる（図１参照）。
【００５４】
さらに、２本の把持棒２６は、それぞれ互いに水平、且つ、平行な状態で幅方向の各側において、前後方向の各側に有する２つの係止受け部材４８に載架させることができる。
【００５５】
また、上記開口カバー部材３７は、その後端部が手押し用ハンドル部４４に帯状部材７１により垂下した状態で取り付けられている。さらに、上記開口カバー部材３７は、上面開口部Ａ１と同じ大きさ、形状をした正面視長方形状で形成し、使用時には、図８に示すように、上面開口部Ａ１の上方で該上面開口部Ａ１と対向した状態で張架され、この状態で取り付けカート本体１２、収容シート１４に固定する固定手段５０を備えている。  
なお、図８は、開口カバー部材３７を張架した状態のペット用カート１１の外観図を示す。
【００５６】
上記固定手段５０は、前端部側の前方固定手段５１、後端部側の後方固定手段５４、左右各端側の側方固定手段５７とで構成している。
【００５７】
前方固定手段５１は、図８、図３、及び、図４に示すように、帯状部材５２と合成樹脂製の係止フック５３とで構成し、上記帯状部材５２の長さ方向の一端部は、上記開口カバー部材３７の前端部の幅方向の両側に縫着している。上記帯状部材５２の長さ方向の他端部は、上記係止フック５３が取り付けられ、前側起立フレーム４３の上端部に係止可能に構成している。
【００５８】
上記後方固定手段５４は、帯状部材５５と一対の面ファスナ５６ａ，５６ｂとで構成し、上記帯状部材５５の長さ方向の一端部は、上記開口カバー部材３７の幅方向の中間部に縫着している。上記帯状部材５５の長さ方向の他端部は、上記一対の面ファスナ５６ａ，５６ｂにおける一方の面ファスナ５６ａを縫着している。さらに、上記一対の面ファスナ５６ａ，５６ｂにおける他方の面ファスナ５６ｂは、背面シート部１６ｄの上端部、及び、帯状部材５２の基端部のそれぞれに上記一方の面ファスナ５６ａと係合可能に縫着している。
【００５９】
さらに、側方固定手段５７は、帯状部材５８と一対の面ファスナ５９ａ，５９ｂとで構成し、上記帯状部材５２の長さ方向の一端部は、上記開口カバー部材３７の前後方向の中間部に縫着している。上記帯状部材５２の長さ方向の他端部は、上記一対の面ファスナ５９ａ，５９ｂにおける一方の面ファスナ５９ａを縫着している。さらに、上記一対の面ファスナ５９ａ，５９ｂにおける他方の面ファスナ５９ｂは、左側面シート部１６ｂ、及び、右側面シート部１６ａの上端部にそれぞれ縫着している。
【００６０】
また、図１に示すように、カート本体１２には、ブレーキ６２を備えている。ブレーキ６２は、主に、ブレーキロック部材６２ａとブレーキレバー６２ｂを備えて構成している。
【００６１】
ブレーキロック部材６２ａは、板状の部材からなり、左右各側の後輪１８ｂ，１８ｂの回動を停止可能に左右各側の下部に取り付けられている。一方、ブレーキレバー６２ｂは、手押し用ハンドル部４４に取り付けられている。ブレーキロック部材６２ａとブレーキレバー６２ｂとは、これら間に配したケーブルによって連結されている。上記ケーブルは、アウターの内部にワイヤーを挿通させた構成をしている。
【００６２】
上記ブレーキ６２は、ブレーキレバー６２ｂを把持することによりケーブル内部のワイヤーから伝達される張力を利用してブレーキロック部材６２ａを後輪１８ｂへ当接するよう作動させる公知のブレーキシステムである。
【００６３】
なお、ブレーキロック部材６２ａは、ブレーキレバー６２ｂを放した状態においてバネの付勢力により元の退避位置に退避する。
【００６４】
その他、カート本体１２における底面フレーム４１における前方側の幅方向両側の隅部には、ゴムなどで構成した緩衝部材６３を固着している。
【００６５】
以下では、上述した構成のペット用カート１１の作用、効果について説明する。  
本実施形態のペット用カート１１は、上述したように、該カート本体１２から取り外してペットを持ち運び可能に構成した担架部材１３を備えている。
【００６６】
このため、本実施形態のペット用カート１１は、例えば、カート本体１２を押し進めながら自宅から病院までペットを移動させ、さらにその後、図１１に示すように担架部材１３をカート本体１２から取り外して病院内でペットＰを持ち運ぶことが可能となる。
【００６７】
従って、例えば、高齢や病気などで歩行が困難なペットを、カート本体１２では進行することのできない例えば、段差の有する場所を移動する場合であっても、担架部材１３によりペットＰを容易に持ち運ぶことができる。
【００６８】
さらに、担架部材１３をカート本体１２から取り外して持ち運び、地面に接地させてもよい。この状態で図６に示すように収容シート１４を展開させることにより、高齢などによりカート本体１２と地面との段差を越えることが困難なペットＰであっても負担なくペット用カート１１に対する乗り降りをさせることができる。
【００６９】
殊に、上記担架部材１３は、その前後方向の両側に人を配し、該各人が左右各側の把持部２８を両手で把持して持ち運ぶことになるため、ペットＰが大型であっても、或いは、階段など歩行し難い場所であっても、安定した状態で容易に持ち運ぶことができる。
【００７０】
さらに、本実施形態のペット用カート１１は、上述したように係止受け部材４８に把持棒２６を載架させるだけで容易に係止することができる。しかも、担架部材１３は、右側面シート部１６ａ、左側面シート部１６ｂ、前側面シート部、及び、背面シート部１６ｄが弛緩せずに懸吊した状態でカート本体１２に取り付けることができる。
【００７１】
よって、ペットＰをしっかりと収容することができるとともに、良好な見栄えで取り付けることができる。
【００７２】
また、本実施形態のペット用カート１１は、上述したように底面シート部１５に上記ペット載置用マット３１を備えている。
【００７３】
このため、図１０に示すように上記ペット載置用マット３１上にペットが載置した状態で、上記マット把持部３５を把持して、ペットの下側からペットごと該ペット載置用マット３１を持ち上げることができる。このため、例えば、病院の診察台など、人間の腰部相当以上の比較的高低差の有する高さであっても、容易に持ち上げることができる。  
なお、図１０は、ペットを持ち上げる様子を説明する説明図である。
【００７４】
また、ペット載置用マット３１は、まず、収容シート１４を適宜、カート本体１２に取り付けた状態で図６に示すように展開状態としてから持ち上げてもよい。これにより、マット把持部３５を把持し易くなり、ペット載置用マット３１とともにペットを容易に持ち上げることができる。
【００７５】
また、本実施形態のペット用カート１１は、上述したように、前面シート部１６ｃ、背面シート部１６ｄ、右側面シート部１６ａ、左側面シート部１６ｂにおける、それぞれの対向端部に一対のスライドファスナ２４ａ，２４ｂを形成している。このため、一対のスライドファスナ２４ａ，２４ｂの係合を離間させることにより、収容シート１４は、立体形状から適宜、図６に示すように側面シート部が倒伏した展開形状にすることができる。  
よって、上記収容シート１４は、不使用時にコンパクトに収容することができる。
【００７６】
さらに、側面シート部における、例えば、背面シート部１６ｄのみを部分的に開口させて背面開口部Ａ２を構成し、該背面開口部Ａ２を通じてペットを、出し入れをすることができる。
【００７７】
これにより、上記収容シート１４に対してペットを持ち上げて上面開口部Ａ１からペットを出し入れする労力を省くことができ、カート本体１２の乗り降りを自主的に行えるペットに有効である。
【００７８】
殊に、本実施形態のペット用カート１１は、背面シート部１６ｄに上記板状芯材を備えている。
【００７９】
このため、まず、図１１（ａ）に示すように背面シート部１６ｄの幅方向の両端部においてスライダ２４ｃを降下させて一対のスライドファスナ２４ａ，２４ｂのそれぞれを離間させることにより、背面開口部Ａ２を構成する。
【００８０】
さらに、図１１（ｂ）に示すように、背面シート部１６ｄを外側へ倒伏させることで、地面に対して傾斜した状態で接地させることができる。これにより、担架部材１３をカート本体１２に載置していることにより生じる段差を解消することができる。
【００８１】
すなわち、ペットは、該背面シート部１６ｄ上をスロープとして歩行することにより、ペット用カート１１対するペットの乗り降り容易に行うことができる。
【００８２】
このため、カート本体１２と地面との段差を跨ぐことが不可能であるが歩行することができるペットであれば、自主的にペット用カート１１の乗り降りをすることができる。
【００８３】
勿論、本実施形態のペット用カート１１は、背面シート部１６ｄに上記板状芯材３９を備えて地面に対して傾斜した状態で接地可能に構成したが、背面シート部１６ｄとともに、或いは、背面シート部１６ｄの代わりに前面シート部１６ｃをこのように上記板状芯材３９を備えて地面に対して傾斜した状態で接地可能に構成してもよい。
【００８４】
また、本実施形態のペット用カート１１は、上記開口カバー部材３７を備えている。
【００８５】
上記開口カバー部材３７は、前方固定手段５１の係止フック５３を前側倒伏フレーム４３に係止するだけで容易に上面開口部Ａ１の上方でしっかりと張架した状態で取り付けることができる。
【００８６】
しかも、側方固定手段５７、後方固定手段５４とともに、開口カバー部材３７を収容シート１４に固定すればより一層、強固に取り付けることができ、風が吹いたりしても捲れたり外れたりせず、しっかりと取り付け状態を維持することができる。
【００８７】
このため、上記開口カバー部材３７は、収容シート１４に収容したペットの日除け、雨除けとしてしっかりと機能させることができる。さらに、収容シート１４に収容したペットが大型であっても上面開口部Ａ１からペットが飛び出してしまうことも防止することができる。
【００８８】
さらにまた、固定手段５０は、面ファスナ５６，５９や係止フック５３を係合させるだけで固定できるため、本体フレーム４０に対しての着脱を容易に行えるため、上面開口部Ａ１の上側で張架させたり、収容したりする行為を容易に行える。
【００８９】
不使用時には、開口カバー部材３７を巻いた状態で収縮させ、後方固定手段５４の帯状部材５５を面ファスナ５６ａ，５６ｂで固定することで、コンパクトに折り畳むことができる。
【００９０】
また、上述した実施形態と、この発明の構成との対応において、この実施形態の係止受け部材４８は、この発明の係止部に対応し、以下同様に、
前面シート部１６ｃ、又は／及び、背面シート部１６ｄは、補助側面シート部に対応し、
板状芯材３９は、芯材に対応するも、
この発明は、上述の実施形態の構成のみに限定されるものではなく、多くの実施の形態を得ることができる。
【図面の簡単な説明】
【００９１】
【図１】本実施形態におけるペット用カートの外観図。
【図２】本実施形態におけるペット用カートの構成説明図。
【図３】本実施形態におけるペット用カートの右側面図。
【図４】本実施形態におけるペット用カートの模式的に示した中央縦断面図。
【図５】本実施形態におけるペット用カートの背面図。
【図６】本実施形態における収容シートの構成説明図。
【図７】本実施形態におけるペット用カートの作用説明図。
【図８】本実施形態におけるペット用カートの他の外観図。
【図９】本実施形態におけるペット用カートの作用説明図。
【図１０】本実施形態におけるペット用カートの作用説明図。
【図１１】本実施形態におけるペット用カートの作用説明図。
【符号の説明】
【００９２】
１１…ペット用カート
１２…カート本体
１３…担架部材
１４…収容シート
１５…底面シート部
１６ａ…右側面シート部
１６ｂ…左側面シート部
１６ｃ…前面シート部
１６ｄ…背面シート部
２４ａ，２４ｂ…一対のスライドファスナ
２６…把持棒
２８…把持部
３１…ペット載置用マット
３５…マット把持部
３７…開口カバー部材
５０（５１，５４，５７）…固定手段
Ａ１…上面開口部
【図１】
2008237103.tif 000003
【図２】
2008237103.tif 000004
【図３】
2008237103.tif 000005
【図４】
2008237103.tif 000006
【図５】
2008237103.tif 000007
【図６】
2008237103.tif 000008
【図７】
2008237103.tif 000009
【図８】
2008237103.tif 000010
【図９】
2008237103.tif 000011
【図１０】
2008237103.tif 000012
【図１１】
2008237103.tif 000013